(57)【要約】【課題】外部から商品が見易く、車内での作業性が良好であり、商品の管理が容易な移動販売車のスライドカウンター及び移動販売車を提供することを目的とする。【解決手段】上下スライド部材１９ａ，１９ｂが平行に摺動し、移動販売車側部に設けた販売窓口１５の車両内側に設置した基台２０上面に下スライド部１９ｂを固定したスライド装置１９と、スライド装置１９の上スライド部材１９ａに架台２１を介して固定したフード付きカウンター本体１３ａと、カウンター本体１３ａが車両側部から突出する最大突出量を設定するストッパー部材２１ａと、カウンター本体１３ａを販売窓口１５より車両内側に収納してカウンター本体１３ａの移動を阻止するロック機構２１ａと、ロック機構２１ａを解除するロック解除レバー２２とを備えた移動販売車１０のスライドカウンター１３である。【選択図】図１
0003123738.tif 000002
【実用新案登録請求の範囲】
【請求項１】
移動販売車のスライドカウンターであって、
該移動販売車側部に設けられた販売窓口から車両内側に設置した基台上面に、上下スライド部材が平行に摺動する該下スライド部を固定したスライド装置と、
該スライド装置の上スライド部材に固定したフード付きカウンター本体と、
該カウンター本体が前記販売窓口からに突出する最大突出量を設定するストッパー部材と、
前記スライド装置により該カウンター本体を前記販売窓口より車両内側に摺動させて納める際に、該カウンター本体を係止するロック機構と、
該ロック機構を解除するロック解除レバーとを備えたことを特徴とする移動販売車のスライドカウンター。
【請求項２】
請求項１に記載の移動販売車のスライドカウンターにおいて、
前記移動販売車側部の前記販売窓口から車外に突出する前記カウンター本体を備えることを特徴とする移動販売車。
【考案の詳細な説明】
【技術分野】
【０００１】
本考案は、移動販売車の外側から商品が見易く販売し易いし、車内での作業性が良好な移動販売車のスライドカウンター及び移動販売車に関する。
【背景技術】
【０００２】
図６（ａ），（ｂ）は、従来のハンバーガー類を戸外で移動販売する移動販売車１を示しており、この移動販売車１は、バン型式の自動車の後部側を床面状とし、前方から右後方にサンドイッチ冷蔵テーブル２、バンズグリドル３、パティグリドル４を併設し、前方から左後方にレジスター５、ホットショーケース６、フライヤー７、開閉式カウンカー８、シンク９等が設けられ、車両側部に販売窓口１０が設けられている。（例えば、特許文献１参照）
【０００３】
【特許文献１】特開平９−１５０６６５号公報（明細書全文，図面全図）
【考案の開示】
【考案が解決しようとする課題】
【０００４】
上記従来の移動販売車では、各種厨房機器を車内に稠密に効率良く収納されて移動販売に適したものであった。しかし、移動販売車のカウンターは、開閉式のものが用いられ、ホットショーケースが車両内に設置されており、車両の外側から商品が見難いし、車両内で調理や販売する作業スペースが狭いといった問題点があり、殊に衛生管理上或いは鮮度が要求される食品等では開閉式カウンターでは不十分であった。
【０００５】
本考案は、上記のような課題に鑑みなされたものであって、外部から商品が見易く、車内での作業性が良好であり、商品の管理が容易な移動販売車のスライドカウンター及び移動販売車を提供することを目的とする。
【課題を解決するための手段】
【０００６】
本考案は、上記課題を達成したものであって、請求項１の考案は、移動販売車のスライドカウンターであって、
該移動販売車側部に設けられた販売窓口から車両内側に設置した基台上面に、上下スライド部材が平行に摺動する該下スライド部を固定したスライド装置と、
該スライド装置の上スライド部材に固定したフード付きカウンター本体と、
該カウンター本体が前記販売窓口からに突出する最大突出量を設定するストッパー部材と、
前記スライド装置により該カウンター本体を前記販売窓口より車両内側に摺動させて納める際に、該カウンター本体を係止するロック機構と、
該ロック機構を解除するロック解除レバーとを備えたことを特徴とする移動販売車のスライドカウンターである。
【０００７】
また、請求項２の考案は、請求項１に記載の移動販売車のスライドカウンターにおいて、
前記移動販売車側部の前記販売窓口から車外に突出する前記カウンター本体を備えることを特徴とする移動販売車である。
【考案の効果】
【０００８】
請求項１の考案では、移動販売車のスライドカウンターであって、
該移動販売車側部に設けられた販売窓口から車両内側に設置した基台上面に、上下スライド部材が平行に摺動する該下スライド部を固定したスライド装置と、
該スライド装置の上スライド部材に固定したフード付きカウンター本体と、
該カウンター本体が前記販売窓口からに突出する最大突出量を設定するストッパー部材と、
前記スライド装置により該カウンター本体を前記販売窓口より車両内側に摺動させて納める際に、該カウンター本体を係止するロック機構と、
該ロック機構を解除するロック解除レバーとを備えたことを特徴とする移動販売車のスライドカウンターであるので、移動販売車の移動時は、カウンター本体を車両内に収納してロック機構により、カウンター本体が移動しないように固定し、販売時は、カウンター本体を車両側部の販売窓口から外側にストッパー部材で係止されるまで移動させて、販売窓口より張り出させ、カウンター内の食品等が見や易くしたものであり、また、カウンター本体を車両外側に移動させることによって、車両内側のカウンター手前に作業台を設けることが可能であり、車両内での作業性を改善することができる利点がある。また、カウンター本体はフード付きのものであり、食品がフードにより保護され、衛生管理が容易なものである利点がある。また、フード付きカウンターは、基台底部に冷蔵機器を設置して冷気をカウンター内に送り込むことも可能であり、食品管理に好ましい移動販売車である。
【０００９】
また、請求項２の考案では、請求項１に記載の移動販売車のスライドカウンターにおいて、
前記移動販売車側部の前記販売窓口から車外に突出する前記カウンター本体を備えることを特徴とする移動販売車であるので、上記効果を得ることができるとともに、内部通路が確保され、作業性が改善された移動販売車とすることができる利点がある。
【考案を実施するための最良の形態】
【００１０】
以下、本考案に係る移動販売車のスライドカウンター及び移動販売車の実施の形態について、図面を参照して説明する。先ず、図面について簡単に説明すると、図１（ａ）は本考案に係る移動販売車の一実施形態を示す上面図であり、（ｂ）はその側面図である。図２（ａ）は本実施形態の移動販売車における厨房機器の配置図であり、（ｂ）はその背面図である。図３（ａ）はスライドカウンターの斜視図であり、（ｂ）はスライドカウンターを販売窓口から車側方に押し出した斜視図である。図４（ａ），（ｂ）はスライドカウンターのスライド機構を示す斜視図であり、（ｃ）はスライド装置の側面図であり、（ｄ）は底面図である。図５はスライドカウンターのストッパー機構を示す上面図である。
【００１１】
本実施形態の移動販売車について図１〜図３を参照し説明する。先ず、移動販売車の一例について説明する。本実施形態の移動販売車は、図１（ａ），（ｂ）に示すように、バン型式自動車の運転室１０ａの後部室内１０ｂを床面状とし厨房室が設けられ、後部室内１０ｂの車両左側に清水タンク１１と汚水タンク１２が備えられ、汚水タンク１２上部にカウンター１３が設けられ、車両右側壁部に販売窓口１５が設けられ、車両右側には作業台１４が設けられている。
【００１２】
さらに、図２（ａ）を参照して、厨房機器の配置について説明すると、後部室内１０ｂには、運転室１０ａの背後に給水・排水設備１６等が設けられ、その右側後方に冷凍冷蔵コールドテーブル１７が設けられ、冷凍冷蔵コールドテーブル１７にはカフェ機能として必要なビールディスペンサー１７ａ，ソフトサバー１７ｂが備えられ、さらに後方の作業台１４には、アイスクラッシャー１４ａ，スムージーブレンダー１４ｂ，コヒーマシーン１４ｃ，エスプレッソコヒーマシーン１４ｄ，エスプレッソ専用ミル１４ｅ，ノックボックス１４ｆ等の厨房機器１８がそれぞれ備えられている。車両の後部室内１０ｂの左側後方には、スライドカウンター（以下、カウンターと称する）１３が備えられ、カウンター１３に隣接してレジ１８が備えられている。また、車両左側壁部の販売窓口１５には、車両側壁を兼ねるルーフ１０ｃが上方に開くことにより、ルーフ１０ｃがカウンター１３の上部を覆うように設けられている。
【００１３】
カウンター１３はフード付きカウンターであり、カウンター１３の底部にはスライド機構が設けられ、移動時は、図３（ａ）に示すように、車両内に収納され、販売時はカウンター１３が販売窓口１５から外側に押し出されて使用される。このスライド機構は、図４（ａ），（ｂ）に示すように、車両内左側に設けられた基台２０上に、例えば６本のスライド装置１９が平列に配置され、６本のスライド装置１９上に架台２１が設けられ、架台２１にフード付きカウンター本体１３ａが設置されている。スライド装置１９は、互い平行に摺動する上下スライド部材１９ａ，１９ｂからなり、下スライド部材１９ｂが基台２０に固定され、上スライド部材１９ａが架台２１に固定され、架台２１にフード付きカウンター本体１３ａの底部に固定されている。スライド装置１９は、車両の前後方向に対して直交方向に設けられ、カウンター本体１３ａが車両側部から外側方向に摺動可能に設置されている。
【００１４】
カウンター１３は摺動可能な範囲を設定するため、図５に示すように、車両側部から引き出される最大突出量を設定するがストッパー部材２１ａと、カウンター１３の収納時に移動を規制するロック機構２１ｂとが基台２０上に固定したベース部材２０ａに設けられ、これらによりカウンター１３の摺動可能な範囲が設定されている。カウンター本体１３ａは、架台２１上に設けられ、架台２１に棒状部材２１ａが設けられている。カウンター本体１３ａを車両側壁の販売窓口から外側へ矢印Ｙ１方向に押し出すと、棒状部材２１ａがストッパー部材２１ａに当接し、カウンター本体１３ａがそれ以上外側に移動しないので最大突出量が設定される。
【００１５】
また、カウンター本体１３ａを販売窓口から車両内に押し込むと、棒状部材２１ａがストッパー部材２１ａから離れて矢印Ｙ２方向に移動しロック機構２１ｂに当接し、棒状部材２１ａがロック機構２１ｂの爪で挟持されてロックされ、カウンター本体１３ａは車両内に収納される。また、このロック機構２１ｂにはワイヤー２３の一端が接続され、ワイヤー２３の他端がレバー２２に接続されている。ロック機構２１ｂはレバー２２を操作することによって、棒状部材２１ａがロック機構２１ｂによるロック状態が解除され、カウンター本体１３ａが移動可能な状態となる。カウンター本体１３ａの摺動可能な範囲は、ストッパー部材２１ａとロック機構２１ｂとの距離で設定されている。また、ロック機構２１ｂは車の移動時の振動で簡単にロックが外れることがない構造となっており、ロック状態はロック解除レバー２２で解錠することができる。
【００１６】
なお、本実施形態では、カウンター本体１３ａを外側に押し出すと、カウンター１３内の食品等が車両外側から見易くなり、販売し易くなるとともに、カウンター１３の収納位置を調理や販売などの作業台として使用することが可能であり、限られた車両内のスペースを有効に利用することが可能である。また、カウンター１３はフード付きであり、カウンター１３が設置された基台２０底部などに冷凍設備を設置することによって、冷凍設備から冷気をカウンター１３内に送り込むことにより、カウンター１３内を低温に設定することができ、食品管理が容易なものとすることができる。
【００１７】
また、本実施形態では、移動販売車内に摺動可能なカウンター１３を設置することにより、車両内スペースを有効利用できるので、カウンター１３に隣接してレジ１８を設置することができ、車内からの接客が容易になる利点がある。
【産業上の利用可能性】
【００１８】
本考案の活用例としては、食料品を移動して販売するのに適した移動販売車のスライドカウンター及び移動販売車として利用することができる。
【図面の簡単な説明】
【００１９】
【図１】（ａ）は、本考案に係る移動販売車の一実施形態を示す上面図であり、（ｂ）はその側面図である。
【図２】（ａ）は本実施形態の移動販売車における厨房機器の配置図であり、（ｂ）はその背面図である。
【図３】（ａ）はスライドカウンターの斜視図であり、（ｂ）はスライドカウンターを車側部から外部に押し出した斜視図である。
【図４】（ａ），（ｂ）はスライドカウンターのスライド機構を示す斜視図であり、（ｃ）はスライド装置の側面図であり、（ｄ）は底面図である。
【図５】スライドカウンターのストッパー機構を示す上面図である。
【図６】（ａ）は従来のハンバーガー類を戸外で移動販売する移動販売車の側面図であり（ｂ）は厨房機器の配置図である。
【符号の説明】
【００２０】
１０  移動販売車
１０ａ  運転室
１０ｂ  後部室内
１０ｃ  ルーフ
１３  スライドカウンター
１３ａ  カウンター本体
１４  作業台
１５  販売窓口
１６  給水・排水設備
１７  冷凍冷蔵コールドテーブル
１８  レジ
１９  スライド装置
１９ａ  上スライド部材
１９ｂ  下スライド部材
２０  基台
２０ａ  ベース部材
２１  架台
２１ａ  ストッパー部材
２１ｂ  ロック機構
２１ｃ  棒状部材
２２  ロック解除レバー
２３  ワイヤー
【図１】
0003123738.tif 000003
【図２】
0003123738.tif 000004
【図３】
0003123738.tif 000005
【図４】
0003123738.tif 000006
【図５】
0003123738.tif 000007
【図６】
0003123738.tif 000008